(57)【要約】【課題】既設の照明スイッチボックスに、重ねて手摺りを取り付け、この手摺りにスイッチを設けることで、手摺りの取り付け位置の制約を解消し、また高齢者の負担を軽減するスイッチ装置を提供する。【解決手段】手摺り本体３１ａ内に発光ダイオード４４と、タッチセンサ回路４５とを設け、タッチセンサ回路４５からの検出信号により点灯させる回路構成とし、既設のスイッチボックス４１に手摺り連結部材３４ａの一端部開口部３４２の一部を重ね合わせ、タッチセンサ回路４５とを電気的に接続する電線５５Ｌを、手摺り連結部材３４ａの内側３４０ａに挿通させる構成とした。【選択図】図２
2012001940.tif 000002
【特許請求の範囲】
【請求項１】
壁に沿って取り付けられる手摺りであって、
一端が壁面に固定される手摺り本体と、
前記手摺り本体の他端に一端が接続され、他端が壁内に設けられたスイッチボックスの近傍に固定される連結部材と、
前記手摺り本体の外側に設けられたオン・オフ操作するスイッチ部と、
連結部材の内部を挿通し、前記スイッチ部とスイッチボックス内のスイッチ回路とを電気的に接続する電線とを有し、
前記連結部材は、中空であって、他端開口部の一部がスイッチボックスの開口部に重なる位置で固定されており、該重なった位置を前記電線が挿通していることを特徴とする手摺り。
【請求項２】
前記スイッチ部は、前記手摺り本体の他端近傍に設けられ、
前記電線は、一端が前記スイッチ部に接続され、他端が第１コネクタに接続された第１導線と、
一端が第２コネクタに接続され、他端が前記スイッチ回路に接続された第２導線とを有し、前記第１コネクタと前記第２コネクタは、相互に着脱自在であって、接続時には導通可能となるものであり、前記第２導線の長さは、前記連結部材の全長よりも長くなっていることを特徴とする請求項１に記載の手摺り。
【請求項３】
前記連結部材は、他端開口部の周囲形成されたフランジ状の固着部と、前記固着部と一体に構成され、スイッチボックスの開口部を覆う蓋部とを備えた固定部を有する請求項１に記載の手摺り。
【請求項４】
出入り口の屋内側照明のオン・オフを操作するスイッチを備えたスイッチ装置であって、
壁内に設けられたスイッチボックス内に収容され、電源から前記照明に電力を供給する電力線において、電源と前記照明の間に接続されたスイッチ回路と、
該スイッチ回路に接続され、オン・オフの切換えを行うスイッチ部と、
前記スイッチ部の近傍に位置しスイッチ部の位置を知らせる発光手段と、
壁に固定される手摺り本体と、
一端が前記スイッチボックスに隣接して固定される固定部であり、他端が前記手摺り本体に接続される手摺り連結部材とを備え、
前記スイッチ部と前記発光手段は、前記手摺り本体に設けられ、
前記手摺り連結部材は中空であり、一端はスイッチボックスに連通し、他端は手摺り本体内の中空部に連通しており、
前記固定部は、スイッチボックスを覆う蓋部と、壁側に固定される固着部とを有し、前記スイッチ回路と、スイッチ部及び発光手段とを電気的に接続する電線は、前記手摺り連結部材内を挿通していることを特徴とするスイッチ装置。
【請求項５】
前記電線には、コネクタが設けられ、スイッチ部及び発光手段は、スイッチ回路に対して、電気的に着脱自在に接続される請求項４に記載のスイッチ装置。
【請求項６】
前記スイッチ部は、タッチセンサであり、人体が触れた場合に、スイッチオン動作を行う請求項４又は５に記載のスイッチ装置。
【請求項７】
前記スイッチ回路は、さらに遅動回路を備え、該遅動回路は、タッチセンサがスイッチオフ動作した後、所定時間スイッチオン状態を維持する請求項６に記載のスイッチ装置。
【発明の詳細な説明】
【技術分野】
【０００１】
この発明は、スイッチ装置及びスイッチ装置を有する手摺りに係り、詳しくは、玄関などの屋内に設けられる照明のスイッチ装置及び該スイッチ装置を有する手摺りに関するものである。
【背景技術】
【０００２】
従来、玄関及び玄関に通じる廊下などの照明のスイッチは、玄関の上がり框近傍の壁に設けられているのが一般的である。これらのスイッチは、玄関の履物を置く部分と、玄関ホールの床部分の間に配置され、履物を履いた位置から、或いは履物を脱いだ位置から照明のスイッチ操作ができるように構成されている。
【０００３】
一方、近年居住者の高齢化が進み、屋内に手摺りを設けるためのリフォーム工事が行われることが多く、階段や廊下などに手摺りが、後付されている。特に、段差のある玄関の上がり框の位置に手摺りが設けられることも多い。
【先行技術文献】
【特許文献】
【０００４】
実開平６−８２２５５号公報
【発明の概要】
【発明が解決しようとする課題】
【０００５】
既述の通り、玄関に設けられた照明スイッチの位置は、上がり框の近傍に位置しており、高齢者や障害者の歩行を補助するために設けられる手摺りの端も、上がり框近傍に取り付けられる。このため、手摺りの取り付け位置と、照明スイッチの位置が重なってしまうこともあり、後付となる手摺りの取り付け位置を変更しなければならない、といった問題があった。特に、手摺りが取り付けられる高さは、体重をかけて歩行できるような位置に配置される必要があり、設置高さは必然的に決まってくる。これに対してスイッチの設置位置も使い勝手を考慮すると、手摺りの設置高さに近い位置となるため、取り付け位置が重なることが多い。玄関に限らず、階段の上がり口や下がり口においても、手摺りの固定位置とスイッチの位置が重なり、同様の問題が生じていた。
【０００６】
また、夜間に帰宅した場合、屋内の照明は消えており、最初に玄関の照明を付ける必要がある。帰宅した高齢者或いは障害者は、玄関の扉を開けてスイッチを探す動作をしつつ、上がり框付近まで、暗がりを歩行しなければならない。このよう動作は、高齢者や障害者にとっては特に負担となり、また危険でもある。
【０００７】
この発明は、既設の照明スイッチボックスに、重ねて手摺りを取り付け、この手摺りにスイッチを設けることで、手摺りの取り付け位置の制約を解消し、また高齢者や障害者の負担を軽減するスイッチ装置および手摺りを提供することを目的とするものである。
【課題を解決するための手段】
【０００８】
以上のような問題を解決する本発明は、以下のような構成を有する。
【０００９】
（１）壁に沿って取り付けられる手摺りであって、
一端が壁面に固定される手摺り本体と、
前記手摺り本体の他端に一端が接続され、他端が壁内に設けられたスイッチボックスの近傍に固定される連結部材と、
前記手摺り本体の外側に設けられたオン・オフ操作するスイッチ部と、
連結部材の内部を挿通し、前記スイッチ部とスイッチボックス内のスイッチ回路とを電気的に接続する電線とを有し、
前記連結部材は、中空であって、他端開口部の一部がスイッチボックスの開口部に重なる位置で固定されており、該重なった位置を前記電線が挿通していることを特徴とする手摺り。
【００１０】
（２）前記スイッチ部は、前記手摺り本体の他端近傍に設けられ、
前記電線は、一端が前記スイッチ部に接続され、他端が第１コネクタに接続された第１導線と、
一端が第２コネクタに接続され、他端が前記スイッチ回路に接続された第２導線とを有し、前記第１コネクタと前記第２コネクタは、相互に着脱自在であって、接続時には導通可能となるものであり、前記第２導線の長さは、前記連結部材の全長よりも長くなっていることを特徴とする上記（１）に記載の手摺り。
【００１１】
（３）前記連結部材は、他端開口部の周囲形成されたフランジ状の固着部と、前記固着部と一体に構成され、スイッチボックスの開口部を覆う蓋部とを備えた固定部を有する上記（１）に記載の手摺り。
【００１２】
（４）  出入り口の屋内側照明のオン・オフを操作するスイッチを備えたスイッチ装置であって、
壁内に設けられたスイッチボックス内に収容され、電源から前記照明に電力を供給する電力線において、電源と前記照明の間に接続されたスイッチ回路と、
該スイッチ回路に接続され、オン・オフの切換えを行うスイッチ部と、
前記スイッチ部の近傍に位置しスイッチ部の位置を知らせる発光手段と、
壁に固定される手摺り本体と、
一端が前記スイッチボックスに隣接して固定される固定部であり、他端が前記手摺り本体に接続される手摺り連結部材とを備え、
前記スイッチ部と前記発光手段は、前記手摺り本体に設けられ、
前記手摺り連結部材は中空であり、一端はスイッチボックスに連通し、他端は手摺り本体内の中空部に連通しており、
前記固定部は、スイッチボックスを覆う蓋部と、壁側に固定される固着部とを有し、前記スイッチ回路と、スイッチ部及び発光手段とを電気的に接続する電線は、前記手摺り連結部材内を挿通していることを特徴とするスイッチ装置。
【００１３】
（５）前記電線には、コネクタが設けられ、スイッチ部及び発光手段は、スイッチ回路に対して、電気的に着脱自在に接続される上記（４）に記載のスイッチ装置。
【００１４】
（６）前記スイッチ部は、タッチセンサであり、人体が触れた場合に、スイッチオン動作を行う上記（４）又は（５）に記載のスイッチ装置。
【００１５】
（７）前記スイッチ回路は、さらに遅動回路を備え、該遅動回路は、タッチセンサがスイッチオフ動作した後、所定時間スイッチオン状態を維持する上記（６）に記載のスイッチ装置。
【発明の効果】
【００１６】
請求項１に記載の発明によれば、手摺りにスイッチ部が設けられているので、手摺りを握った状態で、照明のオン・オフ操作ができ、操作が容易である。また、既設のスイッチボックスに重ねて手摺りを取り付けることができるので、手摺りの取り付け位置の制約が軽減されるとともに、スイッチボックスを他所に移動させる作業も不要となる。つまり、スイッチボックスは継続使用でき、かつ手摺り側に新たにスイッチ部を設けることができる。
【００１７】
連結部材をスイッチボックスと手摺り本体の間に設け、この連結部材内に電線を挿通させる構成としたことで、手摺り本体に設けられたスイッチ部と、スイッチ回路との電気配線の接続作業と、手摺りの取り付け作業とを同時に、かつ効率よく完了させることができる。
【００１８】
請求項２に記載の発明によれば、第２コネクタの付いた第２導線を連結部材の他端開口部から内部に挿通させ、一端の開口部から引き出した状態で、連結部材を壁側に固定し、その後第２コネクタを第１コネクタに接続し、連結部材の一端を手摺り本体の他端に接続固定することにより、スイッチ部の取り付けと、手摺りの取り付けを容易に完了させることができる。
【００１９】
請求項３に記載の発明によれば、フランジ状の固定部を壁側に固定させることによって、スイッチボックスに重ねて接続される連結部材を、十分強固に壁側に固定することができる。また、同時に、スイッチボックスは、蓋部によって覆われることとなり、スイッチボックスの閉鎖と連結部材の固定を１つの部材で補うことが可能となる。
【００２０】
請求項４に記載の発明によれば、手摺りにスイッチ部が設けられているので、手摺りを握った状態で、照明のオン・オフ操作ができ、操作が容易である。また、既設のスイッチボックスに重ねて手摺りを取り付けることができるので、手摺りの取り付け位置の制約が軽減されるとともに、スイッチボックスを他所に移動させる作業も不要となる。
【００２１】
また、スイッチ部の近傍で、発光手段が発光しているので、暗闇においてもスイッチの位置が容易に分かり、暗闇でスイッチ部を探す手間が省ける。さらに、スイッチ部は手摺りとなっているので、スイッチ操作と手摺りによって体を支える動作を同時になすことが可能となる。
【００２２】
請求項５に記載の発明によれば、コネクタによってスイッチ部と発光手段が、スイッチ回路に対して着脱自在に構成されているので、スイッチボックス内に重ねて手摺り連結部材を取り付ける作業と、手摺り本体を取り付ける作業を別個に行うことが可能となり、取り付け作業が容易となる。
【００２３】
請求項６に記載の発明によれば、スイッチ部をタッチセンサとすることにより、使用者が手摺りに掴まる動作が、そのままスイッチオン動作となり、スイッチ操作と、体を支える動作が一体となり、使用者に対する動作の負担が軽減される。
【００２４】
請求項７に記載の発明によれば、使用者が手摺りから離れた後も、遅動回路によって通電状態が維持され、照明が点いた状態が維持されることとなる。このため、出入り口から離れるまで、明るい状態が維持される。
【図面の簡単な説明】
【００２５】
【図１】玄関の上がり框付近の状態を示す斜視図である。
【図２】スイッチボックスに取り付けられた手摺り連結部材の側面断面図である。
【図３】手摺り本体の他の構成例を示す斜視図である。
【図４】スイッチボックスの他の取り付け方式を示す斜視図である。
【図５】同じく平面断面図である。
【図６】回路図である。
【図７】他の構成例の回路図である。
【発明を実施するための形態】
【００２６】
以下、本発明のスイッチ装置１について、添付図面に基づいて詳細に説明する。図１は、玄関の上がり框付近の状態を示す斜視図である。玄関の土間２３と、一段高くなっている廊下２４の間には、上がり框２１が位置し、壁２５において、上がり框２１の上方には、手摺り３Ａが固定されている。
【００２７】
図２は、スイッチボックスに取り付けられた手摺り連結部材の側面断面図である。図示の壁２５は、コンクリート製である。この壁２５には、箱形状のスイッチボックス４１が埋設されており、スイッチボックス４１内にスイッチ回路５が内蔵された基板４２が収容されている。基板４２からは、手動切替スイッチ４３に接続される電線４３Ｌと、発光手段である発光ダイオード（ＬＥＤ）４４に接続される電線５６Ｌと、スイッチ部としてのタッチセンサ回路４５に接続される電線５５Ｌとが伸出されている。電線５５Ｌの先端にはコネクタ５５１が、電線５６Ｌの先端にはコネクタ５６１がそれぞれ設けられている。
【００２８】
壁２５には、手摺り３Ａが取り付けられる。手摺り３Ａは、手摺り本体３Ａと手摺り連結部材３４ａとを備えている。スイッチボックス４１には、手摺り連結部材３４ａの固定部が取り付けられる。固定部は、手摺り連結部材３４ａの端部に固定され、手摺り連結部材３４ａの端部を中心とする円盤状に形成された固着部３５ａと、固着部３５ａの一部から延出し、スイッチボックス４１の開口を覆う蓋部３８ａとを備えている。固着部３５ａには、所定の間隔で孔が形成され、この孔に木ねじ３７が挿通して、固着部３５ａを壁２５に固定する。同時に、蓋部38aが、スイッチボックス４１の開口を覆う位置で固定される。蓋部３８ａには、手動切替スイッチ４３の操作部分がスイッチボックス４１の外側に露出する状態で固定されている。また図示しないが、蓋部３８ａには、遅動回路の遅動時間を調節する調節摘みを設けてもよい。
【００２９】
この状態で、手摺り連結部材３４ａの一端開口部３４２は、少なくとも一部がスイッチボックス４１の開口と重なる位置となり、スイッチボックス４１の内部と手摺り連結部材３４ａの内部３４０が連通した状態となっている。この連通部に既述の電線５６Ｌと、電線５５Ｌが挿通する。手摺り連結部材３４ａは、屈曲した筒形状であり、他端開口部３４１の外周には、接続管３６ａが設けられている。接続管３６ａの内周には雌ネジが形成され、手摺り連結部材３４ａの外周に形成されている雄ネジに螺合している。
【００３０】
一方、手摺り本体３１ａは、手摺り連結部材３４ａと同じ太さの筒状部材で構成され、一端は開口し、手摺り連結部材３４ａの他端開口部３４１に突き合わされて固定される。また、手摺り本体３１ａの壁側へ湾曲した端部３２ａには、円盤状の固定部３３ａが設けられ、この固定部３３ａを介して壁２５に固定されている。
【００３１】
手摺り本体３１ａの一端開口部の外周には、リブ３１１が形成され、このリブ３１１に、接続管３６ａの内側に形成されたリブ３６１が当接する構成となっている。接続管３６ａを回転させると、既述の螺合したネジの作用により接続管３６ａを軸方向へ移動させ、リブ３１１を手摺り連結部材３４ａへ引き付けて、手摺り本体３１ａと手摺り連結部材３４ａとの突き合わせ部分を強固に固定する構成となっている。
【００３２】
手摺り本体３１ａの一端開口部近傍の内部３１０ａには、発光ダイオード４４の基端部が固定され、発光部分は、手摺り本体３１ａの外側に露出するように固定されている。また、発光ダイオード４４に対向する位置には、タッチセンサ回路４５が設けられており、接触を検出する接触端子４５１が、手摺り本体３１ａの外側に設けられている。接触端子４５１は、手摺り本体３１ａの壁２５側に位置しており、手摺りを握った場合にセンサがオンとなり、上がり框２１を通る人が手摺りに接触しただけでは、センサが感知しないように構成されている。
【００３３】
発光ダイオードの基板からは電線４４Ｌが伸び、先端にはコネクタ５６２が設けられている。タッチセンサ回路４５からは電線４５Ｌが伸び、先端にはコネクタ５５２が設けられている。そして、コネクタ５６２はコネクタ５６１と接続され、コネクタ５５２はコネクタ５５１と接続される。
【００３４】
以上のように構成されたスイッチ装置１Ａを取り付ける際には、以下のような作業により、取り付けが行われる。タッチセンサ回路４５と発光ダイオード４４は、予め手摺り本体３１ａ内に装着され、タッチセンサ回路４５と発光ダイオード４４からそれぞれスイッチボックス４１内のスイッチ回路に接続する電線４４Ｌ、４５Ｌを引き出し、その先端のコネクタ５５２、５６２を手摺り本体３１ａの外側に引き出しておく。スイッチボックス４１から、電線５５Ｌ、５６Ｌを引き出し、これらを手摺り連結部材３４ａの一端開口部３４２から挿入して内部３４０ａを挿通させ、他端開口部３４１からコネクタ５５１、５６１を引き出しておく。手摺り本体３１ａの他端を壁２５に固定する。コネクタ５５１とコネクタ５５２を接続し、コネクタ５６１とコネクタ５６２を接続する。この状態で、手摺り連結部材３４ａの固着部３５ａを壁２５に固定することで、スイッチボックス４１は閉じられる。また、引き出されたコネクタ５５１、５５２、５６１、５６２を手摺り連結部材３４ａまたは手摺り本体３１ａの内側に収容し、手摺り本体３１ａの一端と、手摺り連結部材３４ａの他端とを突き合わせて、接続管３６ａで固定し作業を完了する。
【００３５】
図３は、手摺り３Ｂを廊下２４に沿って水平方向に配置した例を示すものである。この実施形態では、手摺り本体３１ｂの一端部は、上方に屈曲し、他端部３２ｂは壁側へ水平に屈曲している。そして、両端部の近傍には発光ダイオード４４とタッチセンサ回路４５の接触端子４５１がそれぞれ設けられている。上方に屈曲している一端部には、手摺り連結部材３４ｂが接続され、この手摺り連結部材３４ｂを介して、壁面に手摺りの一端が固定される。手摺り連結部材３４ｂの構造及びその取付構造は、図１に示されている手摺り連結部材３４ａと同様であるので、説明は省略する。
【００３６】
手摺りを握って、廊下２４の端でいずれかの接触端子４５１に接触することにより、照明が点灯し、後述する遅動回路（図６、図７の符号５４、５４ａ、５４ｂ）によって、点灯した照明は、接触端子４５１から手が離れた後も暫くの間点灯状態が維持されることとなり、利用者が廊下を歩行する間は、廊下２４が明るく照らされることとなる。
【００３７】
図４は、取り付ける家屋が木造である場合の構成を示す玄関の斜視図、図５は、スイッチボックス４９の取り付け位置における平面断面図である。木造家屋の場合、壁２５の裏側には本柱２６が配置されている。手摺りを確実に固定するには、この本柱２６に固定する必要がある。また、スイッチボックス４９は、この本柱２６に取り付けられている。手摺り連結部材３４ｃの固定部は、スイッチボックス４９の側方において、固着部３５ｃが本柱２６に木ネジ３７で固定される。手摺りの支持強度を確実にするために、手摺り連結部材３４ｃの一端は、本柱２６の中央に位置するように固定される。そして、固着部３５ｃから延出している蓋部３８ｃには、外側に隆起した電線挿通部３９ｃが形成されている。電線挿通部３９ｃは、スイッチボックス４９側においては、電線が挿通しうる溝となり、この溝に電線５５Ｌ，５６Ｌが収容される。電線挿通部３９ｃは、一端がスイッチボックス４９の開口に位置し、他端は手摺り連結部材３４ｃの内部３４０ｃに連通している。このように、電線挿通部３９ｃを設けることにより、木造家屋においても、スイッチ装置を取り付けることが可能となる。
【００３８】
図６は、本発明のスイッチ装置の回路図である。スイッチ回路５は、電灯（負荷）５１に対して直列に接続された手動切替スイッチ４３に対して直列に接続されている。スイッチ回路５は、直列に接続されたトライアック５３と遅動回路５４とを備えるとともに、トライアック５３に駆動パルスを供給するセンサ回路５５を有している。センサ回路５５には、タッチセンサ４５からの検出信号が、電線５５Ｌ、４５Ｌを介して供給される。手動切替スイッチ４３は、常時点灯とする端子４３ａ、スイッチ回路５に接続される端子４３ｂ、常時消灯とする端子４３ｃの３つの間で切り換える構成となっている。
【００３９】
トライアック５３と遅動回路５４の直列部分は、手動切替スイッチ４３の端子４３ｂに接続され、手動切替スイッチ４３が端子４３ｂに接続されている状態では、遅動回路５４が通電しうる状態になるように構成されている。また、発光ダイオード４４は、スイッチ回路５に対して並列に接続され、スイッチ回路５が通電した場合、及び切替スイッチ４３が常時点灯端子４３ａに接続された場合には、発光ダイオード４４は消灯し、常時消灯端子４３ｃに接続された場合には、発光ダイオード４４は点灯する構成となっている。
【００４０】
センサ回路５５は、タッチセンサ４５から検出信号が供給されると、トライアック５３へ駆動パルスを供給する。トライアック５３は、駆動パルスを受けると、通電状態となって、遅動回路５４、電灯５１で構成される回路が通電状態となり、照明が点灯する。遅動回路５４は、通電状態となった後、所定時間経過した時点でオフとなる作用を備える。遅動回路５４に接続される発光素子（オンピカ）５７は、例えば換気扇に連動し、換気扇が駆動している間は点灯するように構成されている。
【００４１】
以上のような回路構成は、図３に示されているように、２か所でスイッチ操作をする場合には、手動切替スイッチ４３に対して、もうひとつのスイッチ回路５を追加して、並列に接続すればよい。この場合には、手摺り本体３１ｂの内側を中空（管状）とし、配線は、その内側（中空部分）を挿通させる。さらに、３か所でスイッチ操作する場合には、さらにスイッチ回路５を追加して、並列に接続する。あるいは、トライアック５３に対して、並列にトライアックを追加接続し、このトライアックに駆動パルスを供給するタッチセンサを設けてもよい。また、３か所のスイッチの内、１つを赤外線センサとし、人を赤外線を検出して、トライアックに駆動パルスを供給する構成とすることもできる。
【００４２】
図３に示されるように、手摺り３Ｂの両端でスイッチ操作する場合、図７に示されているような、他の回路構成としてもよい。スイッチボックス４１内から引き出された電線には、手摺り３Ｂの両端に設けられているスイッチ部、即ち、タッチセンサ回路の接触端子４５１、４５１に接続されるものと、発光ダイオード４４、４４に接続される、電線５６Ｌａ、５５Ｌａ、５６Ｌｂ、５５Ｌｂがある。そして、電線５６Ｌａは、連結部材３４ｂ側に設けられた発光ダイオード４４に接続されるコネクタ５６１ａに接続され、電線５５Ｌａは、連結部材３４ｂ側に設けられた接触端子４５１に接続されるコネクタ５６１ａに接続される。また、電線５６Ｌｂは、他端部３２ｂ側に設けられた発光ダイオード４４に接続されるコネクタ５６１ｂに接続され、電線５５Ｌｂは、他端部３２ｂ側に設けられた接触端子４５１に接続されるコネクタ５６１ｂに接続される。また、電線５５Ｌｂ、及び電線５６Ｌｂに接続される電線は、手摺り本体３１ｂ内を挿通し、上記コネクタ５６１ｂ、５５１ｂに接続されるコネクタ５６２ｂ、５５２ｂ（図示せず）を、手摺り本体３１ｂの連結部材３４ｂの接合端部から外側に引き出せる程度に十分長く（即ち、手摺り本体３１ｂの全長より長く）構成されている。このように構成することで、コネクタの脱着作業を容易に行うことができる。
【００４３】
図７に示されているスイッチ装置の回路図は、３路回路を示す回路図である。３路回路を構成する１対のスイッチの内、一方の第１のスイッチ操作回路は、電源に対して手動切替スイッチ４３ａ、トライアック５３ａ、遅動回路５４ａが直列に接続され、これに対して発光ダイオード４４（コネクタ５６１ａ）が並列に接続されており、トライアック５３ａには駆動パルスを供給するセンサ回路５５ａが接続されており、センサ回路５５ａには、コネクタ５５１ａを介してタッチセンサ４５からの検出信号が供給される。この第１スイッチ操作回路に対して、他方のスイッチ、即ち、第２のスイッチ操作回路は、電源に対して手動切替スイッチ４３ｂ、トライアック５３ｂ、遅動回路５４ｂが直列に接続され、これに対して発光ダイオード４４（コネクタ５６１ｂ）が並列に接続されており、トライアック５３ｂには駆動パルスを供給するセンサ回路５５ｂが接続されており、センサ回路５５ｂには、コネクタ５５１ｂを介してタッチセンサ４５からの検出信号が供給される。
【００４４】
上記回路においては、手摺り３Ｂの両端部で、手動切替スイッチ４３ａ、４３ｂの操作が可能となり、両端の手動切替スイッチ４３ａ、４３ｂをスイッチ回路に接続される端子４３ａｂ、４３ｂｂに接続してあれば、両端のいずれかの接触端子４５１、４５１に身体が接触することで、明かりが点灯されることとなる。つまり、手摺りに■まる動作によって自動的に明かりが点くこととなり、スイッチ操作を不要とすることができる。
【００４５】
以上説明した実施形態において、接触端子４５１は、発光ダイオード４４の取り付け位置に対して、近接または隣接して設けることが好ましい。近接して設けるとは、具体的には、例えば、人の手のひらの幅よりも短い距離間隔で、配置されているのがよい。このような位置に設けることで、暗闇で光っている部分（発光ダイオードの取り付け位置）を握ると、手のひらのいずれかの部分が接触端子４５１に接触することとなり、点灯スイッチがオンとなる構成とすることができ、手摺りに詰まって体を支える動作が、同時にスイッチ操作を兼ねることができる。このような作用を容易に発揮することができるためには、発光ダイオードは、手摺りの上側または、壁に対して反対側の側面に設けられていることが好ましい。視界に入り安いからである。また、タッチセンサの接触端子４５１は、手摺りの上側に設けられていることが好ましい。体を支えるためには、手摺りにの上側から握る頻度が多いからである。
【００４６】
また、スイッチ操作部分は、タッチセンサ４５の他、他のスイッチ手段に変えてもよい。例えば、ボタン式のスイッチとして、ボタンを押し込むことでスイッチオンとなるスイッチ回路としてもよい。この場合、ボタン部分に発光ダイオードが埋め込まれ、光っている部分を握ることにより、ボタンが押し込まれ、スイッチオンとなる構成とすることが好ましい。
【符号の説明】
【００４７】
１Ａ  スイッチ装置
３Ａ  手摺り
３１ａ  手摺り本体
３４ａ  手摺り連結部材
４１  スイッチボックス
４４  発光ダイオード
４５  タッチセンサ回路
５５Ｌ  電線
５６Ｌ  電線
【図１】
2012001940.tif 000003
【図２】
2012001940.tif 000004
【図３】
2012001940.tif 000005
【図４】
2012001940.tif 000006
【図５】
2012001940.tif 000007
【図６】
2012001940.tif 000008
【図７】
2012001940.tif 000009